(57)【特許請求の範囲】
【請求項１】
ヘリコプターに吊り下げ昇降できる折り畳み可能とした水槽１に縦枠１４、横枠１９をつなぐ連結部２２からなり、双方をバネ２７で寄せ、床シート軸１６を押し上げて畳むと共に、下端に水切板２３を取付け、消火用水の掬い取りを簡単にしたヘリコプター用の消火作業用水槽をもつ消火装置。
【請求項２】
ヘリコプターにより降下させた消火ホースに、通水性のユニバーサルジョイント１３を設けて、屈折可能とした消火ホースと、ノズルチップの放出口３Ａと消火用放水の反対方向に噴射させる逆噴射口７Ａをノズルチップ３の外周に設け、逆噴射用タービン８は消火用水の水流で回転させ、タービン軸６に連動するコンプレッサー７を駆動して逆噴射口７Ａより圧縮空気を噴射し放水時のノズルチップ３の反動を打ち消すことを特徴とする消火装置。
【請求項３】
ヘリコプターに吊り下げられた消火ホース２のノズルチップ３寄りの重垂円板４、外周４Ａに第２の噴射口１１を設けて、圧縮空気又は水を消火ホース２と直角方向に噴射し、その推進力により消火ホース２の揺れを制御するとともに、重垂円板４の別の場所に取り付けた放水位置を操縦するモーター１５とノズルチップ３をつなぐワイヤー９で遠隔操作により放水口３Ａの放水方向を可動にし適時の放水位置選択が可能なノズルチップ３の操縦を自在に行うことのできる特徴をもつ消火装置。
【発明の詳細な説明】
【０００１】
【産業上の利用分野】
本発明は、地震等による火災をヘリコプターを利用して、上空から消火ホースを降下させて遠隔操作して、火元に接近して初期消火させる消火装置に関する。
【０００２】
【従来の技術】
地震に見舞われた際に、大規模の火災が発生することが分かっている、しかし倒壊した建物等に阻まれて消火活動ができず、消火水は導管の破損等により供給できないなどから消失してしまうことが多かった。
【０００３】
また、消火設備を強化しても都市地震での火災を即時に鎮火させるには不充分なことが多かった。
【０００４】
その他、既存の飛行機による空中からの消火作業は、消火水が分散してしまい効果的とは言えないし、従来の、ヘリコプターによる消火作業においてもブレードの風圧により火を煽ることになるから、風圧の影響の及ばない高所からの消火作業となり、前記同様に消火水が広い範囲に分散してしまい効果的とは言えないし、山林、原野の消火作業についても、前記同様の消火方法であり短時間で鎮火させることは困難であった。
【０００５】
また、本願発明と同趣旨のものとして、ゴンドラを吊り下げて地上から加圧送水手段を受け、消火作業する消防ヘリコプターがある。（特許出願公開、平３−１５７２９８号広報参照）
【発明が解決しようとする課題】
地震によって倒壊した建物等による道路使用が困難な場合、あるいは、山林等の火災の様に現場に行けず、消火作業が遅れ被害を大きくしていた。
【０００６】
本件は消火のため現地上空に到着したヘリコプターを利用して、効果的に消火する方法の開発を目的としている。
【０００７】
即ち、前記のようにブレードの風圧によって火を煽るため、風圧の影響を受けない高度からの消火作業となる。静止状態のヘリコプターから消火ホースを火災現場近くまで降下させて、消防士の放水員に当たる仕事を、遠隔操作して消火作業に当たるものであって、火元の初期消火を確実に行う事によって類焼を皆無にするものである。
【０００８】
【課題を解決するための手段】
ａ）本発明に係るヘリコプターによる消火装置の第１は、
消火用水を瞬時に収納して迅速な消火作業に従事するようにした水槽１で、折り畳み可能とした縦枠１４、横枠１９をつなぐと共に双方をバネ２７で寄せ消火用水の掬い取りを簡単にした水槽。
【０００９】
ｂ）消火用水の放出を開閉する制御バルブ５と、消火水を降下させる消火ホース２と、消火用水で回転するタービンによって、圧縮空気を噴射させて、放水と逆方向に噴射させるノズルをもつ消火装置と、
【００１０】
ｃ）放水位置を操縦するモーター１５とノズルチップ３をつなぐワイヤー９で、遠隔操作により放水口を可動とした消火装置と、重垂円板外周の噴射口１１から圧縮空気を噴射して遠隔操作によって、消火ホース２の揺れを制御する消火装置。
【００１１】
上記構成において水槽１には防水性のシート１８を貯水槽としたものでよく、上部を吊り下げ用のクレーン２６に取付けたものでよいし、ヘリコプター機内の床部を貫通して、水槽を出し入れする様にすれは機内の上部に取付けてもよい。
【００１２】
水槽の下部には前記、消火用水放出の制御バルブ５を接続して放水の開閉または放出量の調整を自動的に行うのがよいが、手動操作するようにしてもよい。
【００１３】
消火ホース２は水槽１とノズルチップ３をつなぐ公知の消化ホースでよいが、途中に通水性ユニバーサルジョイント１３を設けてある。
【００１４】
消火ホース２のノズルチップ３寄りには、消火ホース２の揺れ止め重垂円板４を設けて、重垂円板上にはノズルチップ３操縦用のモーター１５を取付けて、ヘリコプター機体に取付けたドラム２Ａに消火ホース２を畳むか巻いた状態にしておく、
【００１５】
モーター１５はノズルチップ３の放水方向を定める制御用ワイヤー９で連けいされ、他方をノズルチップ３に接続している。
【００１６】
ノズルチップ３は遠隔操作によって、放水方向を変えるためのモーター１５を作動させ、連けいしているワイヤー９を張ったり緩めたりして、消火ホースの重垂円板４より先端寄りを反らすようにしている。
【００１７】
ノズルチップ３、放水口３Ａの後側部には放水と、反対方向に噴射する噴射口をもつタービン８を設けてノズルチップ３の反動を打ち消すようにしている。
【００１８】
消火ホース２の位置を特定する制御装置は、重垂円板４の外周４Ａに流体の噴射口１１を設けて、遠隔操作によって自動的に噴射させるのが望ましいが、手動的に行ってもよい。
【００１９】
【作用】
本発明に係るヘリコプターによる消火装置の使用状態は、次の如くである。
火災現場上空に静止状態に飛行しているヘリコプターには、消火用水を吊り下げた水槽１があり、放水制御バルブ５に接続している消火用ホース２を、火元上空でノズルチップ３先端から降下させて垂れ下げた状態にする、
【００２０】
ノズルチップ３先端は、遠隔操作によって向きを変えることができると共に、シャワー状態にしたり放水の強弱の調節もできる。
【００２１】
放水バルブ５を、操作することによって高度約１００メートルからの放水となるから、ノズルチップ３付近の圧力は１０ｋｇ／ｃｍ２の圧力となり、放水に必要な動力源はいらなくなる、しかし、この放水によってノズルチップ３に反動が発生する、
【００２２】
これを打ち消すものとして、逆噴射ノズル７Ａをもつタービン８を内蔵している、このタービン８は消火ホース内部の水流を利用したもので、タービン軸６には逆噴射用の、コンプレッサー７を取付けてあり、噴射口７Ａより圧縮空気を放出させる。
【００２３】
タービン８は水流に比例して回転するから放水における、ノズルの反動は発生しなくなる。
【００２４】
その他、気泡等の消火剤を使用する際には、重力が少ないために、噴射用の別の動力ポンプ（図示省略）を使用するが、逆噴射は動力ポンプ出力に応じて、モーターによるプロペラでもよいし、ヘリコプター機内より、別のホースを使って水を降下させ逆噴射に使用してもよい。
【００２５】
また、消火時には降下している消火ホース２が高圧となり、ヘリコプターの飛行に支障となるために、消火ホース２の所どころに、通水性のユニバーサルジョイント１３を設けて、突風等により受ける衝撃を緩和する様にしている、
【００２６】
従って、消火ホース２の受ける水平方向への圧力は緩和されて、垂直の荷重だけとなり、ヘリコプターの飛行になんら支障とならない。
【００２７】
静止状態のヘリコプターには、ブレードによる一定方向の風の流れが発生して、降下している消火ホース２が風圧の影響で揺れることがある、
【００２８】
この揺れを打ち消すものとして、第２の噴射装置を設けて、風の流れと逆の方向に必要に応じて噴射させるようにしている。
【００２９】
噴射手段としては、ヘリコプター機内から圧縮空気を別のホース１２で送り噴射口１１より噴射させてもよいし、前記同様に水を降下させ噴射させてノズルチップ３を適当な位置に制御すればよい。
【００３０】
【実施例】
図１は、本発明に係るヘリコプターによる消火装置の実施例を示すもので、火災上空に到着したヘリコプターに水槽１を吊り下げて消火ホース２を降下させた作業開始前の状態を示している。
【００３１】
即ち、ヘリコプターのブレードの風圧の影響を受けない高度に、静止状態に飛行しているヘリコプターから、消火用ホース２をノズルチップ先端３から降下させて、
【００３２】
火災現場直上に接近して消火してもよいが、少し離れた地上数メートル付近から放水して消火作業すればよく、ヘリコプター機内からは、火元の状況を把握したうえ、遠隔操作するものである。
【００３３】
消火ホース２のノズルチッブ３寄りには、消火ホース２の揺れ止め重垂円板４を設けて、円板上にはノズルチップ３操縦用のモーター１５を取付けている。
【００３４】
重垂円板４からノズルチップ３までの消火ホース２を湾曲させてノズルチップ３の放水方向を制御するものであってノズルチップ放水口３Ａの方向を変えるにはヘリコプター機内に設けた操作盤（図示省略）によって、重垂円板４に取付けているモーター８を作動させて、
【００３５】
他方のノズルチッブ３に連けいしたワイヤー９を張ったり緩めたりして反らすことによって、ノズルチップ３の放水方向を定め消火作業に当たる。
【００３６】
放水量としては６００ｌ／毎分で６トンの消火水で１０分間程度の消火に当たれる、ノズルチップ３は放水によって反動が起こり放水と逆方向に揺れるが、この反動を打ち消すために、逆噴射用のタービン８をノズルチップ３、通水路３Ｂ内部に設けている。
【００３７】
タービン軸６にギヤ８Ａを介して逆噴射用のコンプレッサー７を取付けて、ノズルチップ３側面に設けた噴射口７Ａより、逆噴射させて放水による反動を打ち消すようにしている。
【００３８】
タービン８は水流に応じて回転するからノズルチップ３の反動は消滅することになる。
また、消火作業時には、降下した消火ホース２が水圧によって硬直して、ヘリコプターの飛行に支障となる、
【００３９】
通水性ユニバーサルジョイント１３は継手部分を可回動に貫通１３Ａしたもので両端を消火ホース２に接続していて、水圧によって硬直した消火ホース２を屈折させて突風等により受ける水平方向の圧力を緩和するものである。
【００４０】
その他、静止状態のヘリコプターにはブレードの回転により起こる風の流れの影響を受けて、降下している消火ホース２が揺れることがある、この揺れをなくすために重垂円板４の外周４Ａに、第２の噴射口１１を設けている、噴射手段としては、ヘリコプター機内より圧縮空気１２等を送り噴射させて制御するが、
【００４１】
重垂円板４に取付けたセンサー（図示省略）によって信号を受けて噴射口を選択して噴射させるようになっている、第２の噴射装置によってヘリコプターブレードによる消火ホース２の受ける風の影響は解消される。
【００４２】
尚、水槽１への消火水の補給は次の通りとなる。
ヘリコプクーに吊り下げた閉じた状態図５、の水槽先端の水切板２３から浸水し、水中、数メートルまで沈ませる。
【００４３】
ヘリコプターを上昇させるか、クレーン２６を作動させて吊り上げればよく、水槽１に侵入する水圧によって折り畳み用のバネ２７に打ち勝って、床シート１８を押し下げ、消火用水を収納する。
【００４４】
消火用水を使い果たすと、水槽縦枠１４と横枠１９の連結部２２にバネ２７を張設していて、畳む方向に働いている、水槽上端の横枠１９の他の二方は中折れ横枠１９Ａ、を全閉せず途中で止めて、引上げる際に、消火用水の流入をよくしてある。
【００４５】
バネ２７力によって床シート軸１６を押し上げ、水切板２３の双方が合わさると、閉じた状態となり、次の消火用水の補給ができるのである。
【００４６】
【発明の効果】
以上で明らかな如く、本発明に係るヘリコプターによる消火装置は、消火用水を有効に使って地震等による火災の初期消火を適確に行い、鎮火させることができる、しかも放水のための動力源を必要をせず、シンプルかつ安価な構造で、今すぐにでも実現化、具体化することができる。
【００４７】
地震による火災、山林火災等のほとんどは延焼によるものであり、該発明によって、都市地震等による火災への、不安解消が促進されることになる。
【００４８】
【図面の簡単な説明】
【図１】本発明に係る、ヘリコプターによる消火装置の第１のものを示す実施例で消火ホースを降下した状態を示す図である。
【図２】消火ホース先端部分の遠隔装置とノズルチップを示す図である。
【図３】ヘリコプターに吊り下げる水槽の開いた状態の正面図である。
【図４】図３で示したものの側面斜視図である。
【図５】消火用水槽の閉じた状態を示し水中に沈んだ正面図である。
【図６】図５で示した水中に沈んだ水槽の引上げ途中を示す正面図である。
【図７】図５で示した水中に沈んだ水槽の水上に一部を引上げた正面図である。
【符号の説明】
１−水槽                    ２−消火ホース      ２Ａ−巻上げドラム
３−ノズルチップ            ３Ａ−放水口
３Ｂ−放水路                ４−重垂円板
４Ａ−重垂円板外周          ５−制御バルブ
６−タービン軸              ７−コンプレッサー
８−タービン                ８Ａ−ギヤ
９−ワイヤ−                １０−ワイヤー取付部
１１−第２の噴射口          １２−エヤ
１３−通水性ユニバーサルジョイント
１４−水槽縦枠              １５−モータ
１６−床シート軸            １７−床シート補強板
１８−床シート              １９−水槽横枠
２０−吊下けワイヤー        ２１−中折れ横枠
２２−連結部                ２３−水切板
２４−バネ係止紐            ２５−消火ホース引上げ紐
２６−クレーン              ２７−バネ            ２８−ワイヤーガイド
【図１】
0003735644.tif 000002
【図２】
0003735644.tif 000003
【図３】
0003735644.tif 000004
【図４】
0003735644.tif 000005
【図５】
0003735644.tif 000006
【図６】
0003735644.tif 000007
【図７】
0003735644.tif 000008